(57)【要約】【課題】簡便かつ安価に製造可能な衛星通信受信用コンバータのフィードホーンを提供する。【解決手段】フィードホーン１０Ａの大枠を構成する筒形状の樹脂部材を、その内周面側に位置する内側樹脂部材１１ａと、外周面側に位置する外側樹脂部材１１ｂとに分割する。内側樹脂部材１１ａは、金属めっきが可能な樹脂材料にて形成されており、その内周面上に金属めっきを施すことにより導波面である金属めっき層１２が形成される。外側樹脂部材１１ｂは、外観の美観を向上させるために塗料を含有した樹脂材料にて形成される。【選択図】　　　　図１
2004007043.tif 000002
【特許請求の範囲】
【請求項１】
樹脂材料にて形成された筒状部材からなり、入力された電波を導波する導波面が内周面上に形成され、化粧面が外周面にて構成されてなる衛星通信受信用コンバータのフィードホーンであって、
前記筒状部材は、内周面側に位置する内側樹脂部材と、外周面側に位置する外側樹脂部材とに分割されている、衛星通信受信用コンバータのフィードホーン。
【請求項２】
前記内側樹脂部材は、金属めっきが可能な樹脂材料にて形成されており、前記内側樹脂部材の内周面上に金属めっきを施すことにより、前記導波面が形成されている、請求項１に記載の衛星通信受信用コンバータのフィードホーン。
【請求項３】
前記内側樹脂部材が、アクリロニトリル−ブタジエン−スチレン樹脂、シンジオタクチック・ポリスチレン樹脂およびメッキグレード設定樹脂からなる群から選ばれる樹脂材料にて形成されている、請求項２に記載の衛星通信受信用コンバータのフィードホーン。
【請求項４】
前記外側樹脂部材は、塗料を含有する樹脂材料にて形成されている、請求項１から３のいずれかに記載の衛星通信受信用コンバータのフィードホーン。
【請求項５】
前記外側樹脂部材は、金属めっきが不可能な樹脂材料にて形成されている、請求項１から４のいずれかに記載の衛星通信受信用コンバータのフィードホーン。
【請求項６】
前記外側樹脂部材が、ポリプロピレン樹脂、ポリアセタール樹脂およびポリカーボネート樹脂からなる群から選ばれる樹脂材料にて形成されている、請求項５に記載の衛星通信受信用コンバータのフィードホーン。
【請求項７】
前記内側樹脂部材および前記外側樹脂部材の連結面において、一方の樹脂部材に凸部を、他方の樹脂部材に凹部を設け、これら凹部および凸部を嵌合させてなる、請求項１から６のいずれかに記載の衛星通信受信用コンバータのフィードホーン。
【請求項８】
請求項１から７のいずれに記載の衛星通信受信用コンバータのフィードホーンを備えた、衛星通信受信用コンバータ。
【請求項９】
樹脂材料にて形成された筒状部材からなり、入力された電波を導波する導波面が内周面上に形成され、化粧面が外周面にて構成されてなる衛星通信受信用コンバータのフィードホーンの製造方法であって、
前記筒状部材の内周面側を構成する内側樹脂部材を金属めっきが可能な樹脂材料にて射出成形する工程と、
前記内側樹脂部材の表面に金属めっきを施す工程と、
前記筒状部材の外周面側を構成する外側樹脂部材を、前記金属めっきが施された内側樹脂部材の外周面を覆うように射出成形する工程とを含む、衛星通信受信用コンバータのフィードホーンの製造方法。
【請求項１０】
樹脂材料にて形成された筒状部材からなり、入力された電波を導波する導波面が内周面上に形成され、化粧面が外周面にて構成されてなる衛星通信受信用コンバータのフィードホーンの製造方法であって、
前記筒状部材の内周面側を構成する内側樹脂部材を金属めっきが可能な樹脂材料にて射出成形する工程と、
前記筒状部材の外周面側を構成する外側樹脂部材を、前記内側樹脂部材の外周面を覆うように金属めっきが不可能な樹脂材料にて射出成形する工程と、
前記筒状部材のうち、前記内側樹脂部材の露出表面にのみ選択的に金属めっきを施す工程とを含む、衛星通信受信用コンバータのフィードホーンの製造方法。
【発明の詳細な説明】
【０００１】
【発明の属する技術分野】
本発明は、衛星通信電波を受信する衛星通信受信用コンバータのフィードホーンおよびその製造方法ならび衛星通信受信用コンバータに関するものである。
【０００２】
【従来の技術】
図９は、衛星放送受信用アンテナを示す斜視図である。衛星からの放送電波は、パラボラアンテナ５０で反射されて衛星放送受信用コンバータ１のフィードホーン１０に入射され、フィードホーン１０内を伝送導波される。この伝送導波された衛星放送電波は、衛星放送受信用コンバータ１内に配置されたコンバータ回路に入力され、テレビ画像信号や音声信号に変換されてテレビ受像機へと出力される（たとえば、特開平７−３８３２１号公報、特開平９−４６１０２号公報、実開平６−８１１２０号公報）。
【０００３】
図１０（ａ）は、従来の衛星放送受信用コンバータの断面図であり、図１０（ｂ）は正面図である。図１０（ａ）および図１０（ｂ）に示すように、衛星放送受信用コンバータ１は、内部部品を保護するためのシールドケース２，３を備え、その内部に衛星放送電波を電気信号に変換するコンバータ回路が構成されたプリント基板４を装着保持している。シールドケース２の外側には、衛星放送電波が受信されるフィードホーン１０が組付けられている。また、シールドケース２，３の所定領域には、テレビ受像機へと電気信号を出力するためのＦ型接栓８が外部に突出するように設けられている。
【０００４】
フィードホーン１０は、衛星放送電波が伝送導波するように内部に伝送経路が構成された筒状の部材にて形成されている。このフィードホーン１０の衛星放送電波入力側には、内部の気密性を保つためにホーンキャップ７が取付けられている。このホーンキャップ７は、少なくとも衛星放送電波が透過するように導体以外の材料にて形成される。
【０００５】
他方、フィードホーン１０の他端側は、シールドケース２，３内に装着されたプリント基板４へと連結されている。図１０（ｂ）に示すように、プリント基板４のフィードホーン１０の伝送経路に面する部分には、基板アンテナ部であるプローブ５，６が配設されている。
【０００６】
以上の構成により、ホーンキャップ７を透過してフィードホーン１０内へと入力された衛星放送電波は、フィードホーン１０内を伝送導波してプリント基板４に設けられたプローブ５，６に達する。このプローブ５，６によって受信された衛星放送電波は、プリント基板４上に構成されたコンバータ回路によってテレビ画像信号や音声信号に変換され、Ｆ型接栓８を介してテレビ受像機へと出力される。
【０００７】
上記構成の衛星放送受信用コンバータにあっては、図から分かるように、フィードホーン１０は、その外周面が露出した状態にてシールドケース２，３に組付けられる。このため、フィードホーン１０の外周面には外観を美しくするために化粧面を構成する必要がある。一方、フィードホーン１０の内周面側は、ホーンキャップ７を透過してフィードホーン１０内の伝送経路に到達した衛星放送電波をロスすることなくプリント基板８に設けられたプローブ５，６に伝達する必要がある。このため、フィードホーン１０の内周面上には、たとえば導体からなる導波面を構成する必要がある。
【０００８】
図１１は、従来の衛星放送受信用コンバータのフィードホーンの断面図を示している。図に示すように、従来のフィードホーン１０Ｅにおいては、その大枠は樹脂部材１１によって構成されている。上述の要請により、この樹脂部材１１の内周面上には導波面である金属めっき層１２が形成されており、また外周面上には化粧面である塗装層１３が形成されている。
【０００９】
このように、内周面が金属めっき層１２によって被覆され、外周面が塗装層１３によって被覆されたフィードホーン１０Ｅは、以下に示す工程により製造される。まず、図１２に示すように、射出成形によりフィードホーン１０Ｅの大枠である筒形状の樹脂部材１１を形成する。次に、樹脂部材１１の全面にわたって金属めっきを施す。これにより、図１３に示すように、樹脂部材１１の全表面は金属めっき層１２によって被覆される。次に、金属めっき層１２によって覆われた樹脂部材１１の内周面上をマスキングによって覆い、スプレーガンによる塗装を行なう。これにより、マスキングが施されていない樹脂部材１１の外周面のみに選択的に塗装層１３を形成する。この後、マスキングを除去することにより、図１１に示す構造のフィードホーン１０が得られる。
【００１０】
なお、樹脂部材としては、金属めっきが可能なように、たとえばアクリロニトリル−ブタジエン−スチレン樹脂（ＡＢＳ樹脂）が用いられ、塗料としては、たとえばアクリル系の塗料が用いられる。
【００１１】
【発明が解決しようとする課題】
しかしながら、上述の手法にて衛星放送受信用コンバータのフィードホーンを製作した場合には、塗装工程においてマスキングが必要となるために作業が非常に煩雑となり、製造コストの増大を招いていた。また、樹脂部材を形成する際に用いられる樹脂材料としては、金属めっきが可能な樹脂材料に限定されていたため、材料選択の幅が狭いという点も問題になっていた。
【００１２】
したがって、本発明は、材料選択の幅を広げ、簡便かつ安価に製造可能な衛星通信受信用コンバータのフィードホーンおよびその製造方法ならびに衛星通信受信用コンバータを提供することを目的とする。
【００１３】
【課題を解決するための手段】
本発明に基づく衛星通信受信用コンバータのフィードホーンは、樹脂材料にて形成された筒状部材からなり、入力された電波を導波する導波面が内周面上に形成され、化粧面が外周面にて構成されてなる衛星通信受信用コンバータのフィードホーンであって、筒状部材は、内周面側に位置する内側樹脂部材と、外周面側に位置する外側樹脂部材とに分割されている。
【００１４】
このように、従来一体にて形成されていたフィードホーンの大枠を構成する樹脂部材を、内側樹脂部材と外側樹脂部材とに分割して形成することにより、内周面と外周面とを、それぞれその周面に必要とされる特性を満足する樹脂材料にて構成することが可能になる。すなわち、導波面が形成される内周面を構成する内側樹脂部材としては導波面を形成し易い樹脂材料を用いて形成し、化粧面である外周面を構成する外側樹脂部材としては外観が美しくなるような樹脂材料や耐候性に特に優れた樹脂材料を用いて形成することが可能になる。このように、材料選択の幅が広がることにより、製造コストの削減や信頼性の向上など種々の効果が期待できる。
【００１５】
上記本発明に基づく衛星通信受信用コンバータのフィードホーンにあっては、内側樹脂部材は金属めっきが可能な樹脂材料にて形成されており、内側樹脂部材の内周面上に金属めっきを施すことにより導波面が形成されていることが望ましい。
【００１６】
本構成のように、内側樹脂部材を金属めっきが可能な樹脂部材を用いて形成することにより、金属めっきによって簡便に内周面上に導波面を形成することが可能になる。
【００１７】
上記本発明に基づく衛星通信受信用コンバータのフィードホーンにあっては、たとえば、内側樹脂部材が、アクリロニトリル−ブタジエン−スチレン樹脂、シンジオタクチック・ポリスチレン樹脂およびメッキグレード設定樹脂からなる群から選ばれる樹脂材料にて形成されてていることが望ましい。
【００１８】
このように、内側樹脂部材に用いられる金属めっきが可能な樹脂材料としては、たとえば上記のような樹脂が使用可能である。
【００１９】
上記本発明に基づく衛星通信受信用コンバータのフィードホーンにあっては、外側樹脂部材は塗料を含有する樹脂材料にて形成されていることが望ましい。
【００２０】
このように、外側樹脂部材を塗料を含有する樹脂材料にて形成することにより、従来必要であったマスキングを用いた塗装工程を経ることなく、所望の色彩の化粧面を有するフィードホーンを形成することが可能になるため、作業が簡便になり、製造コストの低減が図られる。
【００２１】
上記本発明に基づく衛星通信受信用コンバータのフィードホーンにあっては、外側樹脂部材は金属めっきが不可能な樹脂材料にて形成されていることが望ましい。
【００２２】
このように、外側樹脂部材を金属めっきが不可能な樹脂材料にて形成することにより、内側樹脂部材の外周面を覆うように外側樹脂部材を形成した後に、選択的に内側樹脂部材の露出表面にのみ金属めっきを施すことが可能になる。本構成とすることにより、金属めっき処理を行なう前に外側樹脂部材を形成することが可能になるため、製造工程の自由度が大幅に増す。
【００２３】
上記本発明に基づく衛星通信受信用コンバータのフィードホーンにあっては、たとえば、外側樹脂部材が、ポリプロピレン樹脂、ポリアセタール樹脂およびポリカーボネート樹脂からなる群から選ばれる樹脂材料にて形成されていることが望ましい。
【００２４】
このように、内側樹脂部材に用いられる金属めっきが不可能な樹脂材料としては、たとえば上記のような樹脂が使用可能である。
【００２５】
上記本発明に基づく衛星通信受信用コンバータのフィードホーンにあっては、内側樹脂部材および外側樹脂部材の連結面において、一方の樹脂部材に凸部を、他方の樹脂部材に凹部を設け、これら凸部および凹部を嵌合させていることが望ましい。
【００２６】
このように、内側樹脂部材と外側樹脂部材との連結部位に凸部および凹部を形成し、これらが嵌合するように構成しておくことにより、内側樹脂部材と外側樹脂部材とが固定され、回転することが防止される。
【００２７】
本発明に基づく衛星通信受信用衛星通信受信用コンバータは、上述のいずれかの衛星通信受信用コンバータのフィードホーンを備えていることが望ましい。
【００２８】
上述のいずれかのフィードホーンを用いて衛星通信受信用コンバータを構成することにより、衛星通信受信用コンバータを安価にかつ簡便に製造することが可能になる。
【００２９】
本発明の第１の局面に基づく衛星通信受信用コンバータのフィードホーンの製造方法は、樹脂材料にて形成された筒状部材からなり、入力された電波を導波する導波面が内周面上に形成され、化粧面が外周面にて構成されてなる衛星通信受信用コンバータのフィードホーンの製造方法であって、以下の工程を含んでいる。
（ａ）筒状部材の内周面側を構成する内側樹脂部材を金属めっきが可能な樹脂材料にて射出成形する工程。
（ｂ）内側樹脂部材の表面に金属めっきを施す工程。
（ｃ）筒状部材の外周面側を構成する外側樹脂部材を、金属めっきが施された内側樹脂部材の外周面を覆うように射出成形する工程。
【００３０】
本製造方法のように、金属めっきが可能な樹脂材料にて内側樹脂部材を形成し、この内側樹脂部材の表面を金属にてめっきした後に外周面を覆うように化粧面となる外側樹脂部材を形成することにより、従来必要であったマスキングを用いた塗装工程が省略できるようになるため、簡便かつ安価に衛星通信受信用コンバータのフィードホーンを製造することが可能になる。
【００３１】
本発明の第２の局面における衛星通信受信用コンバータのフィードホーンの製造方法は、樹脂材料にて形成された筒状部材からなり、入力された電波を導波する導波面が内周面上に形成され、化粧面が外周面にて構成されてなる衛星通信受信用コンバータのフィードホーンの製造方法であって、以下の工程を含んでいる。
（ａ）筒状部材の内周面側を構成する内側樹脂部材を金属めっきが可能な樹脂材料にて射出成形する工程。
（ｂ）筒状部材の外周面側を構成する外側樹脂部材を、内側樹脂部材の外周面を覆うように金属めっきが不可能な樹脂材料にて射出成形する工程。
（ｃ）筒状部材のうち、内側樹脂部材の露出表面にのみ選択的に金属めっきを施す工程。
【００３２】
本製造方法のように、金属めっきが可能な樹脂材料にて内側樹脂部材を形成し、この内側樹脂部材の外周面を覆うように金属めっきが不可能な樹脂材料にて外側樹脂部材を形成することにより、外側樹脂部材の形成後に金属めっき処理を行うことが可能になる。これにより、従来必要であったマスキングを用いた塗装工程が省略できると同時に製造工程の自由度が増し、簡便かつ安価に衛星通信受信用コンバータのフィードホーンを製造することが可能になる。
【００３３】
【発明の実施の形態】
以下、本発明の実施の形態について、図を参照して説明する。
【００３４】
（実施の形態１）
図１は、本発明の実施の形態１における衛星放送受信用コンバータのフィードホーンの断面図であり、図２および図３は製造過程におけるフィードホーンの断面図である。なお、本実施の形態におけるフィードホーンは、上述の従来例において説明した構成の衛星放送受信用コンバータに用いられるフィードホーンでり、衛星放送受信用コンバータについての説明はここでは繰り返さない。
【００３５】
図１に示すように、本実施の形態における衛星放送受信用コンバータのフィードホーン１０Ａの大枠は、内周面側に位置する内側樹脂部材１１ａと、外周面側に位置する外側樹脂部材１１ｂとによって構成されている。内側樹脂部材１１ａは、その全面が金属めっき層１２によって被覆されている。さらに、内側樹脂部材１１ａの外周面を覆う金属めっき層１２の外側は、外側樹脂部材１１ｂによって覆われている。
【００３６】
内側樹脂部材１１ａは、金属めっきが可能な樹脂材料にて形成されており、たとえば、アクリロニトリル−ブタジエン−スチレン樹脂（ＡＢＳ樹脂）、シンジオタクチック・ポリスチレン樹脂（ＳＰＳ樹脂）およびメッキグレード設定樹脂などが使用可能である。外側樹脂部材１１ｂは、外観を美しく保つことが可能な樹脂材料によって形成される。たとえば、光沢のある樹脂材料を用いたり、塗料が含有された樹脂材料などを用いる。さらに、通常は、衛星放送受信用コンバータは屋外に設置されるため、耐候性に優れた樹脂材料を用いることが好ましい。
【００３７】
次に、図２および図３を参照して、上記構成のフィードホーンの製造方法について説明する。まず、図２に示すように、射出成形によりフィードホーン１０Ａの大枠となる筒形状の内側樹脂部材１１ａを形成する。次に、内側樹脂部材１１ａの全面にわたって金属めっきを施す。これにより、図３に示すように、内側樹脂部材１１ａの表面が金属めっき層１２によって被覆われる。さらに、この金属めっき層１２によって被覆された内側樹脂部材１１ａを、たとえばダブルインジェクション成形機にセットし、外周面が覆われるように外側樹脂部材１１ｂを射出成形する。以上により、図１に示すようなフィードホーン１０Ａが得られる。
【００３８】
以上の製造工程を経て衛星放送受信用コンバータのフィードホーンを製造することにより、従来必要であったマスキングを用いた塗装工程を経ることなく、簡便に内周面上に導波面が形成され、外周面に化粧面が構成されたフィードホーンを製造することが可能になる。このため、作業の簡素化が図られ、安価に衛星放送受信用コンバータのフィードホーンを製造することが可能になる。
【００３９】
また、樹脂部材を内側樹脂部材と外側樹脂部材とに分けて製造することにより、内側樹脂部材には導波面が形成し易い樹脂材料を用い、外側樹脂部材には化粧面を形成するのにより適した樹脂材料や耐候性に優れた樹脂材料などを用いて製造することが可能になる。このように、樹脂材料を必要に応じて使い分けることが可能になり、様々な効果が得られるようになる。
【００４０】
（実施の形態２）
図４は、本発明の実施の形態２における衛星放送受信用コンバータのフィードホーンの断面図であり、図５および図６は製造過程におけるフィードホーンの断面図である。なお、本実施の形態におけるフィードホーンは、上述の実施の形態１と同様に、従来例において説明した構成の衛星放送受信用コンバータに用いられるフィードホーンである。
【００４１】
図４に示すように、本実施の形態における衛星放送受信用コンバータのフィードホーン１０Ｂの大枠は、内周面側に位置する内側樹脂部材１１ａと、外周面側に位置する外側樹脂部材１１ｂとによって構成されている。内側樹脂部材１１ａの内周面は、金属めっき層１２によって被覆されている。さらに、内側樹脂部材１１ａの外周面は、外側樹脂部材１１ｂによって覆われている。
【００４２】
内側樹脂部材１１ａは、金属めっきが可能な樹脂材料にて形成されており、たとえば、アクリロニトリル−ブタジエン−スチレン樹脂（ＡＢＳ樹脂）、シンジオタクチック・ポリスチレン樹脂（ＳＰＳ樹脂）およびメッキグレード設定樹脂などが使用可能である。外側樹脂部材１１ｂは、金属めっきが不可能な樹脂材料にて形成されており、たとえば、ポリプロピレン樹脂（ＰＰ樹脂）、ポリアセタール（ＰＯＭ）樹脂およびポリカーボネート（ＰＣ）樹脂などが使用可能である。
【００４３】
また、より好ましくは、外側樹脂部材１１ｂは、外観を美しく保つことが可能な樹脂材料によって形成される。たとえば、光沢のある樹脂材料を用いたり、塗料が含有された樹脂材料などを用いる。さらに、通常は、衛星放送受信用コンバータは屋外に設置されるため、耐候性に優れた樹脂材料を用いることが好ましい。
【００４４】
次に、図５および図６を参照して、上記構成のフィードホーンの製造方法について説明する。まず、図５に示すように、射出成形によりフィードホーン１０Ｂの大枠となる筒形状の内側樹脂部材１１ａを形成する。次に、内側樹脂部材１１ａを、たとえばダブルインジェクション成形機にセットし、内側樹脂部材１１ａの外周面が覆われるように外側樹脂部材１１ｂを射出成形により成形する。これにより、図６に示すような構造の樹脂部材が形成される。さらに、樹脂部材１１の全面にわたって金属めっきを施す。ここで、外側樹脂部材１１ｂは金属めっきが不可能な樹脂材料にて形成されているため、内側樹脂部材１１ａにの露出面にのみ選択的に金属めっき層１２が形成される。以上により、図４に示す構造のフィードホーン１０Ｂが得られる。
【００４５】
以上の製造工程を経て衛星放送受信用コンバータのフィードホーンを製造することにより、従来必要であったマスキングを用いた塗装工程を経ることなく、簡便に内周面上に導波面が形成され、外周面に化粧面が構成されたフィードホーンを製造することが可能になる。また、製造工程の自由度が増し、さらなる製造コストの削減が期待できる。
【００４６】
上述の実施の形態１および２においては、いずれも内側樹脂部材の外周面に外側樹脂部材がアウトサート成形される。この場合、内側樹脂部材と外側樹脂部材とは通常は固着しないため、内側樹脂部材に対して外側樹脂部材が回転することが考えられる。この回転を防止するためには、図７または図８に示すように、内側樹脂部材１１ａと外側樹脂部材１１ｂとの連結部位において、一方に凸部を他方に凹部を形成し、これらが互いに嵌合するように成形するとよい。なお、図７においては、内側樹脂部材１１ａに凹部１１ａ１が設けられ、外側樹脂部材１１ｂに凸部１１ｂ２が設けられたフィードホーン１０Ｃを示しており、図８においては、内側樹脂部材１１ａに凸部１１ａ２が設けられ、外側樹脂部材１１ｂに凹部１１ｂ１が設けられたフィードホーン１０Ｄを示している。
【００４７】
上記実施の形態においては、導波管部分とホーン部分とが一体に形成されたフィードホーンを例示して説明を行なったが、特にこれに限定されるものではなく、導波管部分とホーン部分とが別体にて形成されたフィードホーンであってもよい。なお、本発明においてフィードホーンとは、導波管部分とホーン部分とを含む構成のもののみならず、導波管部分のみ、ホーン部分のみの構成の場合をも含むものであり、この導波管部分のみやホーン部分のみ構成の場合にも本発明を適用することは可能である。
【００４８】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【００４９】
【発明の効果】
本発明により、材料選択の幅が広がり、簡便かつ安価に衛星通信受信用コンバータのフィードホーンを製造することが可能になる。また、本発明のフィードホーンを用いて衛星通信受信用コンバータを製作することにより、簡便かつ安価に衛星通信受信用コンバータを提供することが可能になる。
【図面の簡単な説明】
【図１】本発明の実施の形態１におけるフィードホーンの断面図である。
【図２】本発明の実施の形態１におけるフィードホーンの製造工程を示す図である。
【図３】本発明の実施の形態１におけるフィードホーンの製造工程を示す図である。
【図４】本発明の実施の形態２におけるフィードホーンの断面図である。
【図５】本発明の実施の形態２におけるフィードホーンの製造工程を示す図である。
【図６】本発明の実施の形態２におけるフィードホーンの製造工程を示す図である。
【図７】本発明の実施の形態２における変形例を示すフィードホーンの断面図である。
【図８】本発明の実施の形態２における他の変形例を示すフィードホーンの断面図である。
【図９】一般的な衛星放送受信用アンテナの構造を示す斜視図である。
【図１０】（ａ）は一般的な衛星放送受信用コンバータの構造を示す断面図であり、（ｂ）は正面図である。
【図１１】従来のフィードホーンの断面図である。
【図１２】従来のフィードホーンの製造工程を示す断面図である。
【図１３】従来のフィードホーンの製造工程を示す断面図である。
【符号の説明】
１　衛星放送受信用コンバータ、２，３　シールドケース、４　プリント基板、５，６プローブ、７　ホーンキャップ、８　Ｆ型接栓、１０，１０Ａ〜１０Ｄ　フィードホーン、１１ａ　内側樹脂部材、１１ｂ　外側樹脂部材、１１ａ１，１１ｂ１　凹部、１１ａ２，１１ｂ２　凸部、１２　金属めっき層、５０　パラボラアンテナ。
【図１】
2004007043.tif 000003
【図２】
2004007043.tif 000004
【図３】
2004007043.tif 000005
【図４】
2004007043.tif 000006
【図５】
2004007043.tif 000007
【図６】
2004007043.tif 000008
【図７】
2004007043.tif 000009
【図８】
2004007043.tif 000010
【図９】
2004007043.tif 000011
【図１０】
2004007043.tif 000012
【図１１】
2004007043.tif 000013
【図１２】
2004007043.tif 000014
【図１３】
2004007043.tif 000015